(57)【要約】      （修正有）【課題】足場の支柱が離れた場所にあっても、足場板の側縁部と支柱との間の間隙を閉塞することができ、物品の落下を防止することができる側縁板取付装置を提供する。【解決手段】側縁板取付装置１０は、足場の支柱に着脱自在に固定しうるべく構成した緊締具２０と、該緊締具の正面部分に枢着部４０を介して折曲角度調節自在に枢着した側縁板把持具３０とにより構成する。側縁板取付装置は、側縁板把持具は足場板の上縁部と連設可能に構成した。【選択図】図３
0003155216.tif 000002
【実用新案登録請求の範囲】
【請求項１】
足場の支柱に着脱自在に固定しうるべく構成した緊締具と、
上記緊締具の正面部分に枢着部を介して折曲角度調節自在に枢着した側縁板把持具とにより構成すると共に、
側縁板把持具は側縁板の上縁部と連設可能に構成し、緊締具に連設した側縁板により足場板の側縁部に縦方向の仕切壁を形成したことを特徴とする側縁板取付装置。
【請求項２】
緊締具は、
内周面を半円弧状とした略Ｌ字状の受具と、
同受具の基端に開閉自在に枢着し、内周面を半円弧状とした取付具と、
上記受具の先端と上記取付具の先端とを着脱自在に連設するために、受具又は取付具の先端に設けた連結具と、によりなることを特徴とする請求項１に記載の側縁板取付装置。
【請求項３】
側縁板把持具は、緊締具の受具の正面外側部に枢着したことを特徴とする請求項１又は請求項２に記載の側縁板取付装置。
【請求項４】
側縁板把持具は、下方開放の断面略コの字状に形成し、断面略コの字状の下方開放部に側縁板の上端縁が嵌着自在となるように構成したことを特徴とする請求項１〜請求項３のいずれか１項に記載の側縁板取付装置。
【請求項５】
足場の支柱に対して、側縁板把持具が枢着部を介して傾斜可能とし、傾斜代によって、足場板の側縁部と支柱との間の間隙を閉塞し、足場板の側縁部に物品落下防止用の仕切壁を形成したことを特徴とする請求項１〜請求項４のいずれか１項に記載の側縁板取付装置。
【考案の詳細な説明】
【技術分野】
【０００１】
本考案は、側縁板取付装置に関し、建築現場等に仮設される足場の足場板の外側に設置される側縁板（幅木板）の取付を行うための側縁板取付装置に関する。
【背景技術】
【０００２】
一般に建築現場等に仮設される足場では、所定の間隔で立設された支柱と、梁部材とを縦横に組み合わせ梁部材に足場板を架設することで基本的骨格が構築されており、この足場板上で作業者が作業を行い、移動する。そして、このような足場板の外側には、その足場板より所定の高さだけ突出した側縁板が設置されており、このような側縁板を取り付けるために側縁板取付装置が使用されている。
【０００３】
従来、側縁板取付装置としては、例えば、特許文献１に示すように、足場の支柱に固定することによって、足場板の端部に側縁板を設置したものが開示されている。これによって、作業者が作業中に足場板上で足の位置を動かす場合や移動する場合に、足元を注視しなくても足場板の端部が認識可能となり、足場を踏み外すことなく作業を行うことができるようになる。
【先行技術文献】
【特許文献】
【０００４】
【特許文献１】特開２００４−１７６３１０号公報
【考案の概要】
【考案が解決しようとする課題】
【０００５】
しかしながら、上述した側縁板取付装置では、側縁板を固定するための足場の支柱と足場板とが連結されていればよいが、支柱と足場板とが離れており、その間に間隙があると、作業者が使用するための物品がその間隙から落下するおそれがあり、作業者の作業効率が悪くなるばかりか、落下した物品による怪我等のおそれもあった。
【０００６】
このため、労働安全衛生規則（足場等関係）が改正され、物品の落下防止措置が義務付けられた。具体的には、足場の側縁板の高さや、その足場板と側縁板との位置関係が規定されている。
【０００７】
そこで、本願出願人は、労働安全衛生規則を遵守することができる側縁板取付装置を知見し、この考案を完成させた。
【０００８】
この考案は、上記課題を解決するためになされたもので、足場の支柱が離れた場所にあっても、足場板の側縁部と支柱との間の間隙を閉塞することができ、物品の落下を防止することができる側縁板取付装置を提供することを目的とする。
【課題を解決するための手段】
【０００９】
そこで、請求項１に記載の考案は、足場の支柱に着脱自在に固定しうるべく構成した緊締具と、上記緊締具の正面部分に枢着部を介して折曲角度調節自在に枢着した側縁板把持具とにより構成すると共に、側縁板把持具は足場板の上縁部と連設可能に構成し、緊締具に連設した側縁板により足場板の側縁部に縦方向の仕切壁を形成したことを特徴とする。
【００１０】
請求項２に記載の考案は、請求項１に記載の考案において、緊締具は、内周面を半円弧状とした略Ｌ字状の受具と、同受具の基端に開閉自在に枢着し、内周面を半円弧状とした取付具と、上記受具の先端と上記取付具の先端とを着脱自在に連設するために、受具又は取付具の先端に設けた連結具と、によりなることを特徴とする。
【００１１】
請求項３に記載の考案は、請求項１又は請求項２に記載の考案において、側縁板把持具は、緊締具の受具の正面外側部に枢着したことを特徴とする。
【００１２】
請求項４に記載の考案は、請求項１〜請求項３のいずれか１項において、側縁板把持具は、下方開放の断面略コの字状に形成し、断面略コの字状の下方開放部に側縁板の上端縁が嵌着自在となるように構成したことを特徴とする。
【００１３】
請求項５に記載の考案は、請求項１〜請求項３のいずれか１項において、足場の支柱に対して、側縁板把持具が枢着部を介して傾斜可能とし、傾斜代によって、足場板の側縁部と支柱との間の間隙を閉塞し、足場板の側縁部に物品落下防止用の仕切壁を形成したことを特徴とする。
【考案の効果】
【００１４】
この考案によれば、側縁板把持具が折曲角度調節自在に枢着されることによって側縁板を足場板の上縁部と連設可能し、緊締具に連設した側縁板により足場板の側縁部に縦方向の仕切壁を形成したので、足場の支柱が離れた場所にあっても、足場板の側縁部と支柱との間の間隙を閉塞することができ、物品の落下を防止することができる。
【図面の簡単な説明】
【００１５】
【図１】この考案の実施形態における側縁板取付装置の使用方法を示す説明図である。
【図２】この考案の実施形態における側縁板取付装置の使用方法を示す説明図である。
【図３】この考案の実施形態における側縁板取付装置を示す斜視図である。
【図４】この考案の実施形態における側縁板取付装置具を示す平面図である。
【考案を実施するための形態】
【００１６】
以下に、本考案における好適な一実施形態について図面に基づいて説明する。
【００１７】
［側縁板取付装置の構造］
側縁板取付装置の構造について図１から図４を用いて説明する。図１及び図２は、側縁板取付装置の使用方法を示す説明図であり、図３は、側縁板取付装置を示す斜視図であり、図４は、側縁板取付装置を示す平面図である。
【００１８】
図１及び図２に示すように、側縁板取付装置１０は、支柱５０に足場の側縁板５２（幅木板）を縦方向に固定するものであり、足場の支柱５０に設置して使用される。
【００１９】
このような足場においては、垂直方向の支柱５０が設置されるとともに、水平方向の水平支持材６０を交差緊締して足場枠体を構成し、それら支柱５０と水平支持材６０とに対して交差し、その間にＸ字の交差筋かい６２を介設している。また、この水平支持材６０には、足場板５４が架設されている。尚、この足場板５４は、その端部に下方に開放されたフックが形成されており、そのフックを水平支持材６０に上方から係止することによって水平支持材６０に固定される。
【００２０】
この側縁板取付装置１０に固定した側縁板５２は、足場板５４の側縁部５４ａと支柱５０との間の間隙を閉塞し、足場板５４の側縁部５４ａに物品落下防止用の仕切壁を形成するためのものである。
【００２１】
側縁板取付装置１０は、図３及び図４に示すように、緊締具２０と、側縁板把持具３０と、枢着部４０とで構成される。
【００２２】
緊締具２０は、足場の支柱５０に着脱自在に固定可能な金属製の取付体である。この緊締具２０は、例えば、受具２２と、取付具２４と、連結具２６と、から構成されている。
【００２３】
受具２２は、内周面２２ａを半円弧状とした略Ｌ字状の金属である。この受具２２は、その基端２２ｂには取付具２４が枢着されており、更に、基端２４ａとは逆側となる先端２２ｃには連結具２６が連設されている。また、この受具２２は、内周面２２ａで、後述する取付具２４の内周面２４ａと共に支柱５０を受ける構成となっている。
【００２４】
また、この受具２２は、その正面外側部２２ｄには、後述する枢着部４０が連設されており、側縁板把持具３０を折曲角度調節自在に枢着させることとなる。
【００２５】
取付具２４は、内周面２４ａを半円弧状とした板状の金属である。この取付具２４は、その先端２４ｂが上述した受具２２の基端２２ｂに開閉自在に枢着している。また、この取付具２４は、その他の先端２４ｃに切欠き２４ｄが形成されており、連結具２６を貫通させることが可能である。また、この取付具２４は、後述する連結具２６を螺合することによって、枢着された先端２４ｂを軸として、受具２２との位置関係（角度）が調整され、内周面２４ｄで、受具２２の内周面２２ａと共に支柱５０を受け、固定する構成となっている。
【００２６】
連結具２６は、金属製のボルト２６ａとナット２６ｂとから構成されている。この連結具２６のボルト２６ａは、その一端が受具２２の先端２２ｃに回動可能に枢着されており、取付具２４の切欠き２４ｄを貫通して配置されている。また、このボルト２６ａには、ナット２６ｂが螺合可能に配置されている。
【００２７】
連結具２６は、そのナット２６ｂが取付具２４の端部２４ｃと外面から当接しているため、ナット２６ｂを受具２２の先端２２ｃに近付けるように螺合することによって、受具２２の先端２２ｃと取付具２４の先端２４ｃとを着脱自在に連設することとなる。
【００２８】
尚、ナット２６ｂを螺合し、ボルト２６ａから外すことも可能であり、その場合には、取付具２４が先端２４ｂを中心に回動自在となるため、受具２２と取付具２４とが開放された状態となり、支柱５０から着脱自在となる。このような構成とすることによって、支柱５０の直径に応じて側縁板取付装置１０を取付可能となり、簡便である。
【００２９】
側縁板把持具３０は、側縁板５２を固定するための金属製の側縁板把持具である。側縁板把持具３０は、下方開放の断面略コの字状に形成し、断面略コの字状の下方開放部３２に側縁板５２の上端縁が嵌着自在となる。尚、本実施形態においては、側縁板５２の固定を補助するための機構を特別には設けなかったが、本考案はこれに限らず、例えば、下方開放部３２の距離を調節可能にし、側縁板５２を押圧することによって、固定を補助するとともに、側縁板の厚みに応じて下方開放部３２を調節可能とする機構を設けてもよい。
【００３０】
この側縁板把持具３０は、緊締具２０の正面部分（具体的には、緊締具２０の受具２２の正面外側部２２ｄ）に枢着部４０を介して折曲角度調節自在に枢着されており、その折曲角度を調節することによって側縁板５２の端部５２ａを足場板５４の上縁部５４ｂと連設可能であり、緊締具２０に連設した側縁板５２により足場板５４の側縁部５４ａに縦方向の仕切壁を形成することができる。
【００３１】
枢着部４０は、上述した緊締具２０と側縁板把持具３０とを折り曲げ自在にするための蝶番である。この枢着部４０は、緊締具２０の受具２２の正面外側部に設けられており、側縁板把持具３０を緊締具２０に折り曲げ自在としている。
【００３２】
このような構成とすることによって、側縁板取付装置１０の枢着部４０を介して側縁板５２が足場の支柱５０に対して傾斜可能であり、側縁板５２の端部５２ａが足場の足場板５４の上端部５４ｂに当接し、傾斜代によって、支柱５０と足場の足場板５４の側縁部５４ａとの間の間隙が閉塞されることとなる。すなわち、側縁板把持具３０が枢着部４０を介して支柱５０に対して折曲角度調節自在であり、その角度を調節することによって側縁板５２を足場板５４の上縁部５４ｂと連設可能とし、緊締具に連設した側縁板により足場板の側縁部５４ａに縦方向の仕切壁を形成したので、側縁板取付装置１０を固定する足場の支柱５０が離れた場所にあっても、足場板５４の側縁部５４ａと支柱５０との間の間隙を閉塞することができ、物品の落下を防止することができる。従って、労働安全衛生規則を遵守し、作業者の作業効率の悪化を防止するとともに、落下した物品による怪我等の防止にもなる。
【００３３】
［側縁板取付装置の取付方法］
このような構成となっている側縁板取付装置１０の支柱５０への取付方法について以下に説明する。
【００３４】
まず、側縁板取付装置１０における連結具２６のボルト２６ａからナット２６ｂを取り外し、受具２２と取付具２４とを支柱５０の周縁に配置させる。そして、ナット２６ｂを、取付具２４の外面側から当接するようにボルト２６ｂを螺合していき、支柱５０に沿ってスライド可能なように軽く固定する。
【００３５】
そして、側縁板把持具３０に側縁板５２を固定する。そして、側縁板取付装置１０の位置を支柱５０に沿って上下に調節することによって、図２の下側の円中に示すように、側縁板５２に所定の角度を付けて、側縁板５２の端部５２ａが足場板５４の上縁部５４ｂに上面で当接させるように設置する。
【００３６】
そして、この状態でナット２６ｂをボルト２６ａに螺合することによって、受具２２の内周面２２ａと、取付具２４の内周面２４ａとによって支柱５０を狭持し、側縁板取付装置１０を固定する。これによって、支柱５０と足場板５４の外側縁端５４ａとの間における間隙を側縁板５２に閉鎖することができ、物品の落下を防止することができる。
【００３７】
また、取外方法としては、上述した取付方法を逆順に行うことによって、側縁板取付装置１０から側縁板５２を取り外し、側縁板取付装置１０を支柱５０から取り外すことが可能である。また、ナット２６ｂをボルト２６ａから取り外すだけで、側縁板取付装置１０を支柱５０から着脱自在となるため、簡便である。
【００３８】
［その他の実施形態］
尚、上述した実施形態においては、緊締具２０を、受具２２と、取付具２４と、連結具２６と、から構成したが、本考案はこれに限らず、例えば、これらを一体に設けてもよく、部品点数は限らない。
【００３９】
また、上述した実施形態においては、円柱形状の支柱５０に取付可能とするために、内周面を円弧状としたが、本考案はこれに限らず、例えば、その内周面を平面状としてもよい。
【００４０】
また、上述した実施形態において、側縁板把持具３０は断面略コ字状としたが、本考案はこれに限らず、例えば、その下方に対して、側縁板を固定する場合に開放されればよく、通常時においては弾性力によって閉状態となっていてもよい。
いてもよい。
【符号の説明】
【００４１】
１０  側縁板取付装置
２０  緊締具
２２  受具
２４  取付具
２６  連結具
３０  側縁板把持具
４０  枢着部
５０  支柱
５２  側縁板
５４  足場板
【図１】
0003155216.tif 000003
【図２】
0003155216.tif 000004
【図３】
0003155216.tif 000005
【図４】
0003155216.tif 000006
【手続補正書】
【提出日】平成21年9月10日(2009.9.10)
【手続補正１】
【補正対象書類名】実用新案登録請求の範囲
【補正対象項目名】全文
【補正方法】変更
【補正の内容】
【実用新案登録請求の範囲】
【請求項１】
足場の支柱に着脱自在に固定しうるべく構成した緊締具と、
上記緊締具の正面部分に枢着部を介して折曲角度調節自在に枢着した側縁板把持具とにより構成すると共に、
側縁板把持具は側縁板の上縁部と把持可能に構成し、緊締具に連設した側縁板により足場板の側縁部に縦方向の仕切壁を形成したことを特徴とする側縁板取付装置。
【請求項２】
緊締具は、
内周面を半円弧状とした略Ｌ字状の受具と、
同受具の基端に開閉自在に枢着し、内周面を半円弧状とした取付具と、
上記受具の先端と上記取付具の先端とを着脱自在に連設するために、受具又は取付具の先端に設けた連結具と、によりなることを特徴とする請求項１に記載の側縁板取付装置。
【請求項３】
側縁板把持具は、緊締具の受具の正面外側部に枢着したことを特徴とする請求項２に記載の側縁板取付装置。
【請求項４】
側縁板把持具は、下方開放の断面略コの字状に形成し、断面略コの字状の下方開放部に側縁板の上端縁が嵌着自在となるように構成したことを特徴とする請求項１〜請求項３のいずれか１項に記載の側縁板取付装置。
【請求項５】
足場の支柱に対して、側縁板把持具が枢着部を介して傾斜可能とし、傾斜代によって、足場板の側縁部と支柱との間の間隙を閉塞し、足場板の側縁部に物品落下防止用の仕切壁を形成したことを特徴とする請求項１〜請求項４のいずれか１項に記載の側縁板取付装置。
【手続補正２】
【補正対象書類名】明細書
【補正対象項目名】０００９
【補正方法】変更
【補正の内容】
【０００９】
そこで、請求項１に記載の考案は、足場の支柱に着脱自在に固定しうるべく構成した緊締具と、上記緊締具の正面部分に枢着部を介して折曲角度調節自在に枢着した側縁板把持具とにより構成すると共に、側縁板把持具は足場板の上縁部と把持可能に構成し、緊締具に連設した側縁板により足場板の側縁部に縦方向の仕切壁を形成したことを特徴とする。
【手続補正３】
【補正対象書類名】明細書
【補正対象項目名】００１１
【補正方法】変更
【補正の内容】
【００１１】
請求項３に記載の考案は、請求項２に記載の考案において、側縁板把持具は、緊締具の受具の正面外側部に枢着したことを特徴とする。